(57)【要約】【課題】流路内を流体が流通している場合には、離間した場所から観察してもその流通状態を明確に確認することができる画期的な流通状態視認装置を提供する。【解決手段】一端に形成され流体が流入する流入ポート２ａと、他端に形成され流体が流出する流出ポート２ｃと、透光性の材料からなり上記流入ポートと流出ポートとの間の少なくとも一方の側部に固定されてなる透視板３，４と、上記流入ポート２ａと流出ポート２ｃとの間に配置された収納籠１５と、この収納籠１５内に収納された浮遊体１９，２０，２１と、を備え、上記収納籠１５内には、上記流入ポート２ａから流出ポート２ｃに移動する流体が乱流状態又は一部渦巻き状態となるように矯正する矯正部材１６が配置されてなる。【選択図】  図１
2013061241.tif 000002
【特許請求の範囲】
【請求項１】
一端に形成され流体が流入する流入ポートと、他端に形成され流体が流出する流出ポートと、透光性の材料からなり上記流入ポートと流出ポートとの間の少なくとも一方の側部に固定されてなる透視板と、上記流入ポートと流出ポートとの間に配置された収納籠と、この収納籠内に収納された浮遊体と、を備え、
上記収納籠内には、上記流入ポートから流出ポートに移動する流体が乱流状態又は一部渦巻き状態となるように矯正する矯正部材が配置されてなることを特徴とする流体の流通状態視認装置。
【請求項２】
前記矯正部材は、円弧状に折曲された板体であるとともに前記収納籠の内側に固定されてなることを特徴とする請求項１記載の流体の流通状態視認装置。
【発明の詳細な説明】
【技術分野】
【０００１】
本発明は、流体の流路の中途部に固定され該流路内を流通する流体の流通を外部から確認（視認）するために使用される流体の流通状態視認装置に関するものであり、特に、内部に球体などの浮動体が収納された流体の流通状態視認装置に関するものである。
【背景技術】
【０００２】
プラントの配管等のような流体の流路の中途部に固定され、該流路内を流通する流体の流通を外部から確認（視認）するために使用される流体の流通状態視認装置（以下、装置という。）としては、従来、図５及び図６に示されるものや、特許文献１に開示されたものが知られている。この図５及び図６に示す従来の装置５０は、一端に図示しない流体（液体）が流入する流入ポート５１が形成され、他端には流体が流出する流出ポート５２が形成されており、上記流入ポート５１と流出ポート５２との間には、金網などにより成形された球体収納籠５３が内蔵されている。この装置５０は、流体の流路の中途部に固定されるものであり、上記流入ポート５１は、上流側の流路の端部に固定され、上記流出ポート５２が下流側の流路の端部に固定される部位である。そして、上記球体収納籠５３内には、流体の移動により浮動乃至は遊動する複数の球体５４が収用されている。また、上記流入ポート５１と流出ポート５２との間の両側には、円形状の開口５５，５６が形成され、これらの開口５５，５６は、ガラスにより円盤状に成形された透視板５７，５８により外側から閉塞されている。なお、これらの透視板５７，５８は、それぞれボルト５９，６０及びナット６１，６２により該透視板５７，５８を外側から圧接する固定板６３，６４を介して固定されており、上記各固定板６３，６４には、それぞれ上記透視板５７，５８の径よりも太径となされた円形状の開口６３ａ，６４ａが形成されている。また、上記球体収納籠５３であって、上記透視板５７，５８側はそれぞれ開放されている。
【０００３】
また、上記特許文献１に開示された装置は、上記流入ポートと流出ポートとの間に流体内で浮動する球体が収納された球体収納箱を内蔵してなるものであり、この球体収納箱の流入ポート側にはこの球体収納箱内に流体が流入する流液進入口を設けるとともに上記透視板側は無壁面としてなるものである。
【０００４】
上述した各装置によれば、それぞれ透視板を介して内部で浮動する球体を透視することができ、その球体の動きにより、流路内を流体が流通していることを外部から確認することができる。
【先行技術文献】
【特許文献】
【０００５】
【特許文献１】特公昭５６−５２２６３号公報
【発明の概要】
【発明が解決しようとする課題】
【０００６】
しかしながら、上記図５及び図６に示す装置５０も特許文献１に開示された装置も、球体が流出ポート側で停止したように動かない状態となってしまう場合があり、離れた位置からでは、流体が流通しているか否かを明確に確認できない場合がある。すなわち、上述したこれまでの装置では、実際には流体が問題なく流路内を流通しているにも拘わらず、球体に顔を近づけて良く観察すればその微動で流体が流通していることを確認できるものの、装置から離間した位置からではその動きを明確に視認できないことから、流体が流通しているか否かに関して作業者等から疑問を持たれる場合が少なくない。
【０００７】
そこで、本発明は、上述した従来の流体の流通状態視認装置が有する課題を解決するために提案されたものであって、流路内を流体が流通している場合には、離間した場所から観察してもその流通状態を明確に確認することができる画期的な流通状態視認装置を提供することを目的とするものである。
【課題を解決するための手段】
【０００８】
本発明は、上記課題を解決するために提案されたものであって、第１の発明（請求項１記載の発明）は、一端に形成され流体が流入する流入ポートと、他端に形成され流体が流出する流出ポートと、透光性の材料からなり上記流入ポートと流出ポートとの間の少なくとも一方の側部に固定されてなる透視板と、上記流入ポートと流出ポートとの間に配置された収納籠と、この収納籠内に収納された浮遊体と、を備え、上記収納籠内には、上記流入ポートから流出ポートに移動する流体が乱流状態又は一部渦巻き状態となるように矯正する矯正部材が配置されてなることを特徴とするものである。
【０００９】
上記第１の発明では、流入ポートから流出ポートに移動する流体が乱流状態又は一部渦巻き状態となるように矯正する矯正部材が配置されてなることから、上記収納籠内に収納された浮遊体は、該収納籠内において大きく（不規則的に又は渦巻状に）移動することとなり、この結果、流路内を流体が流通している場合には、離間した場所から観察してもその流通状態を明確に確認することができるようになる。
【００１０】
なお、上記収納籠内に収納された浮遊体は、単数でも複数でも良いが、この流通状態視認装置によって、より離間した場所から流体の流通状態を確認できるようにするためには、複数の浮遊体を収納することが好ましい。さらに、このように複数の浮遊体を収納する場合には、それぞれの浮遊体の比重を変え、又はそれぞれの別個の色に着色することが望ましい。また、上記矯正部材は、少なくとも流入ポートから流出ポートに移動する流体が乱流状態又は一部渦巻き状態となるように矯正できるものであれば良く、その形状や大きさ又は数は特に限定されるものではない。
【００１１】
また、第２の発明（請求項２記載の発明）は、上記第１の発明において、前記矯正部材は、円弧状に折曲された板体であるとともに前記収納籠の内側に固定されてなることを特徴とするものである。
【００１２】
この第２の発明では、矯正部材は、円弧状に折曲された板体であることから、製造も容易で且つ安価であることから、新しい流通状態視認装置も安価に提供することができる。また、この矯正部材は、上記収納籠の内側に固定されてなることから、流通状態視認装置を組み立てる場合や分解する場合、或いはこの矯正部材と収納籠自体や上記浮遊体等の各部品を交換する場合においても極めて容易なものとすることができる。
【発明の効果】
【００１３】
上記第１の発明（請求項１記載の発明）によれば、上記収納籠内に収納された浮遊体は、該収納籠内において大きく（不規則的に又は渦巻状に）移動することとなり、この結果、流路内を流体が流通している場合には、離間した場所から観察してもその流通状態を明確に確認することができるようになる。
【００１４】
また、第２の発明（請求項２記載の発明）によれば、矯正部材が円弧状に折曲された板体であることから、製造も容易で且つ安価であり、新しい流通状態視認装置も安価に提供することができる。また、この矯正部材は、上記収納籠の内側に固定されてなることから、流通状態視認装置を組み立てる場合や分解する場合、或いはこの矯正部材と収納籠自体や上記浮遊体等の各部品を交換する場合においても極めて容易なものとすることができる。
【図面の簡単な説明】
【００１５】
【図１】実施の形態に係る流通状態視認装置の平断面図である。
【図２】実施の形態に係る流通状態視認装置の側面図である。
【図３】図２に示す流通状態視認装置のＡ−Ａ線断面図である。
【図４】他の実施の形態に係る矯正部材の配置状態を模式的に示す側断面図である。
【図５】従来の流体の流通状態視認装置を一部破断して示す平面図である。
【図６】図５に示すに示す流通状態視認装置の正断面図である。
【発明を実施するための形態】
【００１６】
以下、本発明の一実施の形態に係る流体の流通状態視認装置（以下、本装置ということがある。）について、図面を参照しながら詳細に説明する。なお、本装置は、本発明を液体が流通するものに適用したものである。
【００１７】
本装置１は、液体の流路である一方の図示しないパイプと他方のパイプとの間に固定されるものであり、図１に示すように、内部が空洞となされたボディー２と、このボディー２の正面に固定された一方の透視板３と、該ボディー２の背面に固定され上記一方の透視板３と対向してなる他方の透視板４と、上記一方の透視板３をボディーに固定する一方のリングナット５、上記他方の透視板４をボディー２に固定する他方のリングナット６とを備えている。
【００１８】
上記ボディー２は、鉄により鋳造成形されてなるものであり、左側から右側にかけて液体が流通する流路（符号は省略する。）が形成されている。また、このボディー２の左端は、上記一方のパイプが挿入され固定される部位であり、本発明を構成する流入ポート２ａである。この流入ポート２ａの内周面には、上記一方のパイプの外周面に螺刻されたネジに螺着される第１のネジ２ｂが螺刻されている。また、上記ボディー２の右端は、上記他方のパイプが挿入され固定される部位であり、本発明を構成する流出ポート２ｃである。この流出ポート２ｃの内周面には、上記他方のパイプの外周面に螺刻されたネジに螺着される第２のネジ２ｄが螺刻されている。
【００１９】
そして、上記流入ポート２ａと流出ポート２ｃとの間には、液体の流通部２ｅが形成されている。この流通部２ｅは、左端側が上記流入ポート２ａと連通し、右端側は上記流出ポート２ｄと連通してなるとともに、正面側には正面側開口２ｆが形成され、背面側には背面側開口２ｇが形成されている。すなわち、このボディー２には、上記流通部２ｅを中心として、（言わば）４つの開口が形成されている。そして、上記正面側開口２ｆを形成する部位の内周面には、第３のネジ２ｈが螺刻され、上記背面側開口２ｇを形成する部位の内周面には、第４のネジ２ｉが螺刻されている。
【００２０】
そして、上記正面側開口２ｆと背面側開口２ｇとには、それぞれガスケット８，９を介して一方の透視板３や他方の透視板４が配置されている。これら一方及び他方の透視板３，４は、何れも透明なガラス板からなるものであり、上記一方の透視板３は上記正面側開口２ｆを閉塞してなるものであり、上記他方の透視板４は上記背面側開口２ｇを閉塞してなるものである。そして、さらに上記一方の透視板３は、上記一方のリングナット５が上記第３のネジ２ｈに螺着されて取り付けられ、この一方のリングナット５により上記一方の透視板３がボディー２に押圧された状態で固定されている。また、上記他方の透視板４は、上記他方のリングナット６が上記第４のネジ２ｉに螺着されて取り付けられ、この他方のリングナット６により上記他方の透視板４がボディー２に押圧された状態で固定されている。言うまでもなく、上記一方のリングナット５の外周面には、上記第３のネジ２ｈに螺着されるネジ（符号は省略する。）が螺刻され、上記他方のリングナット６の外周面には、上記第４のネジ２ｉに螺着されるネジ（符号は省略する。）が螺刻されている。また、上記一方及び他方のリングナット５，６には、それぞれ中央に開口５ａ，６ａが形成され、またこれら開口５ａ，６ａを形成する部位には、それぞれ上記一方の透視板３又は他方の透視板４の外側面の外周側を押圧する押圧面５ｂ，６ｂを有している。そして、上記押圧面５ｂ，６ｂと一方の透視板３又は他方の透視板４との間にはリング状に成形されたクッション１１，１２が配置されている。
【００２１】
そして、上述したボディー２に形成された流通部２ｅ内には、図１、図２及び図３に示すように、本発明を構成する収納籠１５が配置されている。この収納籠１５は、図１又は図２に示すように、円筒状に成形されてなるものであり、液体が流通する多数の開口（符号は省略する。）が形成された網籠である。なお、この収納籠１５はステンレススチールを素材とするものである。そして、この収納籠１５の内側には、本発明を構成する矯正部材としての矯正板１６が上記収納籠１５の内周面にスポット溶接された状態で固定されている。この矯正板１６は、ステンレススチールを素材とするものであり、図２に示すように、円弧状に成形されてなる板体であって、その配置された方向性ないし位置関係は、上記一方及び他方の透視板３，４側に肉厚が視認できるように配置されている。そして、この実施の形態に係る流通状態視認装置１においては、上記矯正板１６の一端１６ａは、図２中一点鎖線で示す上記流入ポート２ａから流出ポート２ｃに流れる液体の流路の中心線（中心位置）に対応する部位に位置しており、中途部１６ｂは該矯正板１６の他端は、上記中心線よりもやや上方に位置している。
【００２２】
そして、上記収納籠１５内には、第１ないし第３の浮遊体１９，２０，２１が収納されている。これら第１ないし第３の浮遊体１９，２０，２１は、それぞれ比重が異なるとともに異なる色により着色されている。
【００２３】
したがって、上述した本装置１を液体の流路の中途部に配置・固定すると、上記流入ポート２ａから流通部２ｅ内に液体が流入すると、該液体の一部は上記矯正板１６の外側に当接するとともに他の一部は流通部２ｅの中央や矯正板１６と流通部２ｅの内壁（符号は省略する。）との間を通過し、さらにそのまま流出ポート２ｃ側に移動するもの以外に、上記矯正板１６の他端１６ｃからその内側の中途部までにガイドされて渦を巻くような流れが形成される。この結果、上記第１ないし第３の浮遊体１９，２０，２１は、上記渦巻状の流れ又は不規則な乱流に流されることから、大きく動く或いは動き回ることとなり、本装置１から離間した位置からでもその状態を明確に視認することがきる。また、本装置１では、上記矯正板１６が円弧状に折曲された板体であることから、製造も容易で且つ安価であることから、本装置１も安価に提供することができる。また、この矯正板１６は、上記収納籠１５の内側に固定されてなることから、本装置１を組み立てる場合や分解する場合、或いはこの矯正板１６と収納籠１５自体や上記第１ないし第３の浮遊体１９，２０，２１等の各部品を交換する場合においても極めて容易なものとすることができる。
【００２４】
なお、上記実施の形態に係る流通状態視認装置１を構成する矯正板１６は、図２に示すような状態で収納籠１５内に配置したが、本発明を構成する矯正部材は、少なくとも流入ポート２ａから流出ポート２ｃに移動する流体が乱流状態又は一部渦巻き状態となるように矯正できるものであれば良い。したがって、例えば、図４に模式的に示すように、矯正板２６の曲率を大きなものとするとともに、収納籠２５の内周面に溶接されたその一端２６ａとは反対側の他端２６ｂが、同図中矢印方向に流れる液体の流れの（一点鎖線で示す）中心線を大きく超えるとともに収納籠２５の中心側に接近して位置させるようにしても良い。
【００２５】
こうした図４に示す構成とすることにより、流入ポート側から流入した液体は、上記円弧状に整形された矯正板２６の外側面に沿ってガイドされ、一部の液体は、該矯正板２６の内側において、図４中反時計回り方向に渦を巻く流れとなる。したがって、こうした図４に示す構成を採用した場合でも、本装置１から離間した位置からその状態を明確に視認することがきる。
【符号の説明】
【００２６】
１  流通状態視認装置
２  ボディー
２ａ  流入ポート
２ｃ  流出ポート
３  一方の透視板
４  他方の透視板
１５  収納籠
１６  矯正板
１９，２０，２１  第１ないし第３の浮遊体
【図１】
2013061241.tif 000003
【図２】
2013061241.tif 000004
【図３】
2013061241.tif 000005
【図４】
2013061241.tif 000006
【図５】
2013061241.tif 000007
【図６】
2013061241.tif 000008